(57)【要約】【課題】端末と無線で通信できず、時刻同期できない場合でも自身の時刻を変更する。【解決手段】電子時計２は、現在の時刻をカウントする計時回路２１３と、携帯端末との間の通信により第１の時刻情報を受信する通信部２２と、計時回路２１３の時刻を変更するための標準電波を受信する標準電波受信部２３と、ＣＰＵ２１１と、を備える。ＣＰＵ２１１は、標準電波受信部２３が受信した標準電波から第２の時刻情報を取得し、第１の時刻情報または第２の時刻情報により、計時回路２１３がカウントする現在時刻を変更する。【選択図】図２
2018044842.tif 000002
【特許請求の範囲】
【請求項１】
現在の時刻をカウントする計時回路と、
端末との間で近距離用無線通信電波を通信することにより第１の時刻情報を受信する近距離無線通信部と、
前記近距離用無線通信電波に比べて電波の回り込む性質が強い標準電波を受信し、第２の時刻情報を受信する標準電波受信部と、
制御部と、を備え、
前記制御部は、
前記第１の時刻情報または前記第２の時刻情報により、前記計時回路がカウントする現在時刻を変更する、
ことを特徴とする電子時計。
【請求項２】
前記制御部は、
前記近距離無線通信部と前記標準電波受信部とを、排他的にいずれか一方を動作させる、
ことを特徴とする請求項１に記載の電子時計。
【請求項３】
前記近距離無線通信部が動作している際には当該近距離無線通信部が動作している旨を表示し、前記標準電波受信部が動作している際には当該標準電波受信部が動作している旨を表示する表示部を備える、
ことを特徴とする請求項２に記載の電子時計。
【請求項４】
前記制御部は、予め定められた受信開始時刻に前記近距離無線通信部が動作していなかったならば、前記標準電波受信部の標準電波の受信動作を開始させる、
ことを特徴とする請求項２に記載の電子時計。
【請求項５】
前記制御部は、前記受信開始時刻とは異なるタイミングにおいて前記近距離無線通信部の前記端末との通信動作を開始させ、前記近距離無線通信部に前記端末からの前記第１の時刻情報を受信させ、前記近距離無線通信部と前記端末との通信を切断させる、
ことを特徴とする請求項４に記載の電子時計。
【請求項６】
前記制御部は、前記近距離無線通信部を受信動作へ移行する制御をする時刻よりも、正子から近い時刻に前記標準電波を受信動作へ移行する制御をする、
ことを特徴とする請求項３に記載の電子時計。
【請求項７】
前記近距離無線通信部は、前記端末との通信が切断されるまで、接続状態を維持する、
ことを特徴とする請求項６に記載の電子時計。
【請求項８】
前記制御部は、
前記近距離無線通信部が前記端末から受信した前記第１の時刻情報のうち最新のものを表示部に表示させる、
ことを特徴とする請求項７に記載の電子時計。
【請求項９】
現在の時刻をカウントする計時回路と、端末との間で近距離用無線通信電波を通信する近距離無線通信部と、前記近距離用無線通信電波に比べて電波の回り込む性質が強い標準電波を受信する標準電波受信部と、を備える電子時計の時刻変更方法であって、
前記近距離無線通信部により前記端末から第１の時刻情報を受信し、
前記標準電波受信部が受信した前記標準電波から第２の時刻情報を取得し、
前記第１の時刻情報または前記第２の時刻情報により、前記計時回路がカウントする現在時刻を変更する、
ことを特徴とする電子時計の時刻変更方法。
【請求項１０】
現在の時刻をカウントする計時回路と、端末との間で近距離用無線通信電波を通信する近距離無線通信部と、前記近距離用無線通信電波に比べて電波の回り込む性質が強い標準電波を受信する標準電波受信部と、を備えるコンピュータを、
前記近距離無線通信部により前記端末から第１の時刻情報を取得する第１時刻取得手段、
前記標準電波受信部が受信した前記標準電波から第２の時刻情報を取得する第２時刻取得部と、
前記第１の時刻情報または前記第２の時刻情報により、前記計時回路がカウントする現在時刻を変更する時刻変更手段、
として機能させるためのプログラム。
【発明の詳細な説明】
【技術分野】
【０００１】
本発明は、電子時計、電子時計の時刻変更方法、および、プログラムに関する。
【背景技術】
【０００２】
従来、ブルートゥース（登録商標：Bluetooth）などの近距離無線通信を用いて種々の情報をやり取りすることが可能な電子装置が知られている。このような近距離無線通信により、特に、携帯型の電子装置において、複数の電子装置がそれぞれ個別に取得、保持する情報を他の電子装置で容易に取得することが可能である。なお、以下の文章では、Bluetoothが登録商標である旨の記載を省略する。
【０００３】
例えば、特許文献１には、ブルートゥース通信機能を有する電子腕時計において、携帯電話からブルートゥース通信を利用して時刻情報を受け取り、この電子腕時計の時刻を修正する技術が開示されている。
【先行技術文献】
【特許文献】
【０００４】
【特許文献１】特開２００９−１１８４０３号公報
【発明の概要】
【発明が解決しようとする課題】
【０００５】
しかし、特許文献１の電子時計の構成では、例えば、携帯電話と電子時計を離れた場所においてしまった場合などの理由で携帯電話から時刻情報を受け取ってから長時間が経過してしまうと、電子時計の保持する時刻が計時回路の歩度分だけずれてしまう。
【０００６】
また、電子時計の保持する時刻が計時回路の歩度分だけずれてしまうと、特定の時刻に携帯電話から時刻情報を受け取るようなスケジュール動作をしようとした場合に、余裕を持って早めに受信動作を開始しなければならず、消費電力が増えてしまう。
【０００７】
そこで、本発明は、電子時計について、端末と無線で通信できず、時刻同期できない場合でも自身の時刻を変更可能とすることを課題とする。
【課題を解決するための手段】
【０００８】
本発明は、上記目的を達成するため、
現在の時刻をカウントする計時回路と、
端末との間で近距離用無線通信電波を通信することにより第１の時刻情報を受信する近距離無線通信部と、
前記近距離用無線通信電波に比べて電波の回り込む性質が強い標準電波を受信し、第２の時刻情報を受信する標準電波受信部と、
制御部と、を備え、
前記制御部は、
前記第１の時刻情報または前記第２の時刻情報により、前記計時回路がカウントする現在時刻を変更する、
ことを特徴とする電子時計である。
【発明の効果】
【０００９】
本発明によれば、電子時計について、端末と無線で通信できず、時刻同期できない場合でも自身の時刻を変更可能となる。
【図面の簡単な説明】
【００１０】
【図１】第１の実施形態におけるシステムの概略を示す構成図である。
【図２】電子時計の構成の一例を示す図である。
【図３】電子時計による近距離無線通信時の画面例を示す図である。
【図４】電子時計による標準電波受信時の画面例を示す図である。
【図５】携帯端末の構成の一例を示す図である。
【図６】電子時計による近距離無線通信処理を示すフローチャートである。
【図７】電子時計と携帯端末による近距離無線通信動作を示すシーケンス図である。
【図８】電子時計による標準電波受信処理を示すフローチャートである。
【図９】第２の実施形態におけるシステムの概略を示す構成図である。
【図１０】電子時計の構成の一例を示す図である。
【図１１】電子時計による近距離無線通信処理を示すフローチャートである。
【図１２】電子時計と携帯端末による近距離無線通信動作を示すシーケンス図である。
【図１３】電子時計による標準電波受信処理を示すフローチャートである。
【発明を実施するための形態】
【００１１】
以降、本発明を実施するための形態を、各図を参照して詳細に説明する。
《第１の実施形態》
図１は、第１の実施形態におけるシステム１の概略を示す構成図である。
第１の実施形態のシステム１は、電子時計２と、携帯端末３とを含む。
この電子時計２は、例えば置き時計であり、携帯端末３とBluetooth Low Energyで接続して、携帯端末３の時刻を定期的に受信して自身の計時時刻を変更する。電子時計２は、自身の計時時刻などを表示部２９に表示する。電子時計２は更に、標準周波数局４が送信する長波長帯（Low Frequency Band）の電波を受信して、振幅変調された標準電波の時刻信号出力（Time Code Output：ＴＣＯ）を復調して、この時刻信号によって自身の時刻情報を変更可能である。
【００１２】
長波長帯とは、電波のうち３０ＫＨｚから３００ＫＨｚの周波数帯のことをいい、情報伝送容量が小さい代わりに直進性が弱く、非常に遠くまで伝わる性質がある。これに対してBluetooth Low Energyは、２．４ＧＨｚのＩＳＭ（Industry Science Medical）帯で通信するため直進性が強い。更にBluetooth Low Energyの接続距離は、見通しで最大５０ｍ程度、最小２．５ｍ程度である。すなわち、標準電波は、Bluetooth Low Energyの電波よりも、波長が長く、電波の回り込む性質が強く、かつ受信可能範囲が広い。
以下、Bluetooth Low Energyのことを、「ＢＬＥ」と記載する場合がある。Bluetooth Low Energyで接続することを、「ＢＬＥ接続」と記載する場合がある。
【００１３】
携帯端末３は、例えばスマートフォンであり、キャリア網Ｎを介して音声やパケットの通信が可能である。携帯端末３は、キャリア網Ｎとの接続時に自身の時刻情報を変更可能である。
【００１４】
標準周波数局４は、標準周波数報時電波を送信する局のことをいう。日本における標準周波数局４の運用主体は情報通信研究機構（National Institute of Information and Communications Technology：ＮＹＣＴ）であり、コールサインはＪＪＹである。日本において標準周波数局４は、その一つは福島県田村市に設置されており、４０ｋＨｚの長波で標準電波を送信している。もう一つの標準周波数局４は、佐賀県佐賀市に設置されており、６０ｋＨｚの周波数で標準電波を送信している。
【００１５】
米国における標準周波数局４の運用主体は国立標準技術研究所（National Institute of Standard and Technology：ＮＩＳＴ）であり、標準周波数局４のコールサインはＷＷＶＢである。米国において標準周波数局４は、コロラド州フォート・コリンズに設置されており、６０ｋＨｚの周波数で標準電波を送信している。
【００１６】
中国における標準周波数局４の運用主体は中国科学院国家授時中心であり、標準周波数局４のコールサインはＢＰＣである。中国において標準周波数局４は、河南省の商丘に設置されている。
【００１７】
欧州の標準周波数局４は、一つはイギリス・アンソーンに設置され、コールサインはＭＳＦであり、６０ｋＨｚの周波数で標準電波を送信している。もう一つの標準周波数局４は、ドイツ・マインフリンゲンに設置され、コールサインはＤＣＦ７７であり、７７．５ｋＨｚの周波数で標準電波を送信している。
【００１８】
第１の実施形態では、電子時計２が、第１のＢＬＥ通信と第２のＢＬＥ通信との間に標準電波を受信して、この電子時計２の計時回路がカウントする現在時刻を変更する構成にした。これにより、ＢＬＥの電波が受信できないような環境および状況においても、電子時計２が、ＢＬＥよりも周波数の低い標準電波を受信して、現在時刻を変更することができるので、より高精度に現在時刻を保持することができる。
【００１９】
ＢＬＥ通信と標準電波の受信とが行える電子時計２は、携帯端末３に繋がっていないときは、標準電波を受信して時刻を自動修正する。これにより電子時計２は、携帯端末３に接続できない場合でも時刻がずれなくなる。
【００２０】
図２は、電子時計２の構成の一例を示す図である。
電子時計２は、液晶で構成される表示部２９を、表示ドライバ２８で駆動可能なものである。表示部２９は、例えばデジタル表示の文字盤である。電子時計２は、前述した表示ドライバ２８と表示部２９に加えて、マイクロコンピュータ２１、通信部２２、標準電波受信部２３、振動子２４、電源供給部２５、ＲＯＭ２６、操作受付部２７を含んでいる。
【００２１】
マイクロコンピュータ２１は、各種演算処理を行って電子時計２を統括制御するものであり、ＣＰＵ２１１、分周回路２１２、計時回路２１３、発振回路２１４、周辺回路２１５、ＲＡＭ（Random Access Memory）２１６を含んで構成される。マイクロコンピュータ２１のＣＰＵ２１１は、後記するＲＯＭ２６に格納されたプログラム２６１を実行することにより、受信開始時刻決定部２１７、時刻情報取得部２１８、時刻変更部２１９の各部を具現化する。
【００２２】
受信開始時刻決定部２１７は、標準電波受信処理の開始時刻を決定する部位である。受信開始時刻決定部２１７は、例えば午前２時、午前３時、午前６時、午前１０時、午後２時、午後６時、午後１０時を標準電波受信処理の開始時刻として決定されている。
時刻情報取得部２１８は、標準電波受信部２３が受信した標準電波から時刻情報（第２の時刻情報）を取得する部位である。
時刻変更部２１９は、携帯端末３から受信した時刻情報または標準電波受信部２３が受信した標準電波の時刻情報により、計時回路２１３がカウントする現在時刻を変更するものである。
【００２３】
ＲＡＭ２１６は、揮発性メモリであり、ＣＰＵ２１１の作業領域として変数やデータ等を格納する。
発振回路２１４は、振動子２４と組み合わされて固有の周波数信号を生成して分周回路２１２に出力する。発振回路２１４としては、例えば、水晶発振回路が用いられる。
分周回路２１２は、発振回路２１４から入力された信号をＣＰＵ２１１や計時回路２１３が利用する各種周波数の信号に分周して出力する。
【００２４】
計時回路２１３は、分周回路２１２から入力された所定の周波数信号の回数を計数し、初期時刻に加算することで現在時刻をカウント（計数）するカウンタ回路である。計時回路２１３により計数される現在時刻は、ＣＰＵ２１１により読み出されて時刻表示に用いられる。この時刻の計数は、ソフトウェア的に制御されてもよい。
周辺回路２１５は、例えば、各種センサ信号の入力を受け付ける付加的な回路を含んで構成される。
【００２５】
振動子２４は、例えば、水晶振動子であり、発振回路２１４と組み合わされて固有の周波数信号を生成する。ＲＯＭ２６は、不揮発性メモリであり、ＣＰＵ２１１が実行するプログラム２６１を格納する。
電源供給部２５は、電子時計２を長期間に亘って継続的、かつ安定的に動作させることが可能な構成となっており、例えば単２電池とＤＣ−ＤＣコンバータとの組み合わせである。これにより動作中の電源供給部２５の出力電圧は、所定値を保つ。第１の実施形態の電子時計２は、置き時計であるため、充分な容量を持つ電池を使用可能である。
通信部２２は、Bluetooth Low Energyに準拠する通信路で、携帯端末３と情報を送受信する部位である。この通信部２２は、携帯端末３との間で近距離用無線通信電波、具体的にはBluetooth Low Energyの２．４ＧＨｚの周波数の電波を通信する。ＣＰＵ２１１は、携帯端末３から時刻情報（第１の時刻情報）を受信して、この時刻信号によって計時回路２１３を変更する。
標準電波受信部２３は、標準周波数局４（図１参照）から送信された標準周波数報時電波（標準電波）を受信する部位である。この標準電波受信部２３が受信する標準電波は、通信部２２が通信に用いる近距離用無線通信電波、具体的にはBluetooth Low Energyの２．４ＧＨｚの周波数の電波と比べて、電波の回り込む性質が強い。ＣＰＵ２１１は、振幅変調された標準電波の時刻信号出力（ＴＣＯ）を復調して、この時刻情報（第２の時刻情報）によって計時回路２１３を変更する。
操作受付部２７は、例えばボタンなどであり、ユーザによる電子時計２への操作を受け付ける部位である。
【００２６】
表示ドライバ２８は、マイクロコンピュータ２１から入力された表示制御信号に基づき、液晶で構成される表示部２９に表示を行わせる。表示部２９の表示例は、後記する図３と図４に示す。
【００２７】
図３は、電子時計２による近距離無線通信時の画面５の例を示す図である。
画面５は、表示部２９に表示される。この画面５は、近距離無線通信時に表示され、時分表示部５１、秒表示部５２、曜日表示部５３、天気予報表示部５４、最新情報表示部５５、ＢＬＥ通信アイコン５６およびその右側の「受信オフ」の文字列とを含んでいる。
時分表示部５１には、計時回路２１３（図２参照）が計時する時分情報が７セグメントで表示される。秒表示部５２は、計時回路２１３（図２参照）が計時する秒情報が７セグメントで表示される。曜日表示部５３は、計時回路２１３（図２参照）が計時する曜日情報が７セグメントで表示される。天気予報表示部５４は、天気予報に関する情報が７セグメントの数字とアイコンで表示される。
【００２８】
最新情報表示部５５には、操作受付部２７の操作に応じて、最新のＢＬＥ接続時刻と、そのＢＬＥ接続が成功したか否かが表示される。具体的にいうと、最新情報表示部５５には、携帯端末３から受信した時刻情報のうち最新のものが表示される。ユーザは、この最新情報表示部５５により、過去のどの時点で携帯端末３との間の時刻同期が正しく行われたかを確認可能である。
ＢＬＥ通信アイコン５６は、ＢＬＥ通信（近距離無線通信）を実行している旨を示すアイコンである。ユーザは、このＢＬＥ通信アイコン５６により、携帯端末３との間の時刻同期が行われていることと、通信部２２（図２参照）が動作していることを確認可能である。ＢＬＥ通信アイコン５６の右側の「受信オフ」文字列５８は、標準電波の受信を行っていないことを示している。
【００２９】
図４は、電子時計２による標準電波受信時の画面５の例を示す図である。
この画面５は、図３に示したＢＬＥ通信アイコン５６と「受信オフ」文字列５８とが表示されておらず、代わりに標準電波受信アイコン５７と標準電波受信成功を示す“ＯＫ”が表示されている。ユーザは、標準電波受信アイコン５７と“ＯＫ”表示により、２４時間以内に標準電波を受信したことと、受信に成功したことを確認可能である。
【００３０】
図５は、携帯端末３の構成の一例を示す図である。
図５において、携帯端末３は、ＣＰＵ３１、ＲＡＭ３２、記憶部３３、撮像部３４、タッチパネルディスプレイ３５、キャリア通信部３６、スピーカ３７、ＢＬＥ通信部３８、計時回路３９を備える。携帯端末３の各部はバスによって接続されている。
【００３１】
ＣＰＵ３１は、記憶部３３などに記憶されている各種アプリケーションプログラムの中から指定されたアプリケーションプログラムと、タッチパネルディスプレイ３５から入力される各種指示とをＲＡＭ３２内のワークメモリに展開する。ＣＰＵ３１は更に、この入力指示および入力データに応じてワークメモリに展開したアプリケーションプログラムに従って各種処理を実行し、その処理結果をＲＡＭ３２内のワークメモリに格納すると共に、タッチパネルディスプレイ３５に表示する。そして、ＣＰＵ３１は、ワークメモリに格納した処理結果をタッチパネルディスプレイ３５から指示される記憶部３３内の保存先に保存する。
記憶部３３は、例えばフラッシュメモリやＲＯＭで構成されている。この記憶部３３には、例えば電子時計２との間で時刻を同期するプログラムが格納されている。
【００３２】
タッチパネルディスプレイ３５は、例えば、ディスプレイパネルの表面に透明なタッチパネルが積層されて構成されており、表示機能と入力機能とを兼ね備える部位である。ディスプレイパネルとは、例えば液晶ディスプレイまたは有機ＥＬディスプレイ等であり、漢字・ひらがな・カタカナの表示機能を有する。タッチパネルとは、入力ペンや指先等により指示された座標を感知し、電磁誘電方式、磁気歪式、感圧式等の座標読み取り原理で指示された位置座標を検出するものである。携帯端末３は、ＣＰＵ３１から入力される表示データに基づく信号を生成して、タッチパネルディスプレイ３５に各種表示を行い、指示された座標をタッチパネルにより感知してＣＰＵ３１に出力する。
【００３３】
キャリア通信部３６は、例えばアンテナと送受信回路で構成され、無線通信路を介してキャリア網Ｎに接続された他の装置との間で通信データを送受信する。
スピーカ３７は、ＣＰＵ３１の指示により音声情報を出力する。
ＢＬＥ通信部３８は、例えばアンテナと送受信回路で構成され、Bluetooth Low Eneryの無線通信路を介して他の装置との間で通信データを送受信する。
計時回路３９は、現在時刻を計数するカウンタ回路である。
【００３４】
図６は、電子時計２による近距離無線通信処理を示すフローチャートである。
最初に電子時計２のＣＰＵ２１１は、専用アプリケーションプログラムが動作している携帯端末３との間でのペアリングを行う（ステップＳ１０）。ＣＰＵ２１１は、ペアリング成功まで（ステップＳ１１→Ｎｏ）、携帯端末３とのペアリングを試みる（ステップＳ１０）。
携帯端末３との間で、ペアリングが成功すると（ステップＳ１１→Ｙｅｓ）、電子時計２は、携帯端末３との接続状態に遷移する（ステップＳ１２）。
【００３５】
次いでＣＰＵ２１１は、ＢＬＥ通信により携帯端末３に対して時刻情報を要求する（ステップＳ１３）。ＣＰＵ２１１は、携帯端末３から時刻情報を受信したならば（ステップＳ１４→Ｙｅｓ）、受信した時刻情報で本体時刻を変更し（ステップＳ１５）、受信した時刻を記憶する（ステップＳ１６）。ＣＰＵ２１１は、これらステップＳ１３〜Ｓ１６の処理を通信切断まで繰り返す（ステップＳ１７→Ｎｏ）。
【００３６】
ＣＰＵ２１１は更に、携帯端末３から時刻情報を受信せず（ステップＳ１４→Ｎｏ）、通信が切断されなかったならば（ステップＳ１７→Ｎｏ）、ステップＳ１４の処理を通信切断まで繰り返す。
【００３７】
電子時計２は、携帯端末３との間の通信切断により（ステップＳ１７→Ｙｅｓ）、非接続状態に遷移する（ステップＳ１８）。例えば電子時計２と携帯端末３との距離が離れると、通信が切断される。このとき、ＣＰＵ２１１は、外部にアドバタイズを送信し（ステップＳ１９）、携帯端末３との接続の確立を試みる。ＣＰＵ２１１は、未だ接続が確立していない場合に（ステップＳ２０→Ｎｏ）アドパタイズの送信を繰り返す。
【００３８】
電子時計２と携帯端末３との間で接続が確立すると（ステップＳ２０→Ｙｅｓ）、電子時計２は、再びステップＳ１２の接続状態に遷移する。これにより、時刻情報の同期が再開する。
【００３９】
図７は、電子時計２と携帯端末３による近距離無線通信動作を示すシーケンス図である。
最初、電子時計２は、外部にアドバタイズを送信し（シーケンスＱ１０）、携帯端末３との接続確立を試みる。携帯端末３は、このアドバタイズを受信すると、電子時計２に接続要求を送信する（シーケンスＱ１１）。これにより、電子時計２は、携帯端末３との接続を確立する（シーケンスＱ１２）。この接続確立時において、電子時計２および携帯端末３との間で、コネクション・インターバル、スレーブ・レイテンシ、スーパービジョン・タイムアウトの各パラメータの値が共有される。
【００４０】
接続の確立後、電子時計２は、時刻情報の要求コマンドを携帯端末３に送信し（シーケンスＱ１３）、携帯端末３は、時刻情報を電子時計２に送信する（シーケンスＱ１４）。電子時計２は、携帯端末３が送信した時刻情報を受信すると共に、その時刻情報に対する応答を送信する（シーケンスＱ１５）。これらシーケンスＱ１３〜Ｑ１５の動作により、電子時計２は、携帯端末３と時刻同期が可能である。
その後、携帯端末３は、コネクション・インターバルＴｉおきに発生するコネクション・イベント（ＣＥ１，ＣＥ２，ＣＥ３，…）毎に、電子時計２へ時刻情報をパケット単位で送信する（シーケンスＱ１６〜Ｑ２０）。
【００４１】
電子時計２は、シーケンスＱ１４において携帯端末３が時刻情報を送信した時点からの非受信期間が、最大非受信期間を超えるまでの間、携帯端末３へ通知する必要があるデータが無い場合、各コネクション・イベントＣＥ１，ＣＥ２における携帯端末３からの時刻情報の受信を無視する（シーケンスＱ１６，Ｑ１７）。
【００４２】
そして、電子時計２は、コネクション・イベントＣＥ３（シーケンスＱ１８）において、非受信期間が最大非受信期間を超えたと判定すると、携帯端末３からの時刻情報の受信のみを実行し、受信した時刻情報に対する応答は送信しない。また、電子時計２は、携帯端末３から受信した時刻情報に基づいて、携帯端末３との時刻同期を実行する。
【００４３】
そして、電子時計２は、コネクション・イベントＣＥ４（シーケンスＱ１９）において、直近で受信したデータが送信された時点からの非受信期間が最大非受信期間を超えていないと判定し、携帯端末３からのデータの受信を無視する。
【００４４】
そして、電子時計２は、コネクション・イベントＣＥ５（シーケンスＱ２０）において、携帯端末３への応答の送信をしなかった回数がスレーブ・レイテンシである４回を超えたと判定する。よって、電子時計２は、携帯端末３からの時刻情報を受信すると共に、その時刻情報に対する応答を送信する（シーケンスＱ２１）。
【００４５】
図８は、電子時計２による標準電波受信処理を示すフローチャートである。
なお、電子時計２のＣＰＵ２１１は、所定時刻になると、標準電波受信処理を開始する。所定時刻とは、例えば午前２時、午前３時、午前６時、午前１０時、午後２時、午後６時、午後１０時である。なお、ＣＰＵ２１１は、所定のボタン操作などにより、標準電波受信処理を開始してもよい。更にＣＰＵ２１１は、通信部２２を受信動作へ移行する制御をする時刻よりも、正子から近い時刻に標準電波受信部２３を受信動作へ移行する制御をしてもよい。これにより、電子時計２は、ユーザが活動していない蓋然性が高い正子から近い時刻に標準電波の受信処理を行わせることができる。
当初、電子時計２のＣＰＵ２１１は、ＢＬＥを介して携帯端末３と接続確立中ならば（ステップＳ３０→Ｙｅｓ）、処理を終了する。電子時計２が携帯端末３と接続確立中でないならば（ステップＳ３０→Ｎｏ）、ＣＰＵ２１１は、４０ｋＨｚの標準電波の受信処理を開始する（ステップＳ３１）。このようにＣＰＵ２１１は、通信部２２と標準電波受信部２３とを、排他的にいずれか一方を動作させている。これにより、一度に消費する電流量を削減して、電池の消耗による停止を防いでいる。
【００４６】
ＣＰＵ２１１は、４０ｋＨｚの標準電波の受信に成功したならば（ステップＳ３２→Ｙｅｓ）、受信した時刻情報で本体時刻を変更し（ステップＳ３７）、この標準電波受信処理を終了する。標準電波の受信成功とは、振幅変調された標準電波の時刻信号出力を複数回復調し、かつ、これら時刻信号出力が整合することをいう。
ＣＰＵ２１１は、８分間が経過するまでの間（ステップＳ３３→Ｎｏ）、４０ｋＨｚの標準電波の受信処理（ステップＳ３１）を繰り返す。
【００４７】
ＣＰＵ２１１は、４０ｋＨｚの標準電波の受信に成功せず（ステップＳ３２→Ｎｏ）、８分間が経過したならば（ステップＳ３３→Ｙｅｓ）、６０ｋＨｚの標準電波の受信処理（ステップＳ３４）を開始する。この受信処理にも、所定の時間が掛かる。
ＣＰＵ２１１は、６０ｋＨｚの標準電波の受信に成功したならば（ステップＳ３５→Ｙｅｓ）、受信した時刻情報で本体時刻を変更し（ステップＳ３７）、この標準電波受信処理を終了する。標準電波の受信成功とは、振幅変調された標準電波の時刻信号出力を複数回復調し、これら時刻信号出力が整合することをいう。
【００４８】
ＣＰＵ２１１は、８分間が経過するまでの間（ステップＳ３６→Ｎｏ）、６０ｋＨｚの標準電波の受信処理（ステップＳ３４）を繰り返す。
ＣＰＵ２１１は、６０ｋＨｚの標準電波の受信に成功せず（ステップＳ３５→Ｎｏ）、８分間が経過したならば（ステップＳ３６→Ｙｅｓ）、図８の処理を終了する。
【００４９】
第１の実施形態の電子時計２は、携帯端末３と無線で通信できず、時刻同期できない場合でも、標準電波の受信により自身の時刻を変更可能である。更に、携帯端末３との無線通信と標準電波の受信とを排他的にいずれか一方だけを動作させているので、電力消費を削減して電池の消耗を防いでいる。
【００５０】
《第２の実施形態》
第１の実施形態の電子時計２が置き時計であったのに対して、第２の実施形態の電子時計２Ａは、アナログ式の腕時計である。以下、第１の実施形態との差異を中心に説明する。
【００５１】
図９は、第２の実施形態におけるシステム１Ａの概略を示す構成図である。
第２の実施形態のシステム１Ａは、電子時計２Ａと、携帯端末３とを含む。
この電子時計２Ａは、例えばアナログ式の腕時計であり、第１の実施形態の電子時計２と同様に、定期的に携帯端末３とBluetooth Low Energyで接続して、携帯端末３の時刻を受信して自身の計時時刻を変更する。電子時計２Ａは、自身の計時時刻などを指針で表示部２９Ａに表示する。電子時計２Ａは更に、標準周波数局４が送信する長波長帯（Low Frequency Band）の電波を受信して、振幅変調された標準電波の時刻信号出力（ＴＣＯ）を復調して、この時刻信号によって自身の時刻情報を変更可能である。
【００５２】
図１０は、電子時計２Ａの構成の一例を示す図である。
電子時計２Ａは、秒針２９１ａ、分針２９１ｂ、時針２９１ｃを、それぞれ独立のステッピングモータ２８２ａ〜２８２ｃで各々駆動可能なものであり、例えば腕に装着するためのバンドを備えたアナログ式腕時計である。この電子時計２Ａは、秒針２９１ａと、輪列機構２８３ａを介して秒針２９１ａを回転駆動するステッピングモータ２８２ａと、駆動回路２８１ａとを備えている。ここでは、分針２９１ｂと時針２９１ｃについても同様に構成される。秒針２９１ａ、分針２９１ｂ、時針２９１ｃは、例えば主文字盤に表示される指針である。
【００５３】
３本の秒針２９１ａ、分針２９１ｂ、時針２９１ｃは、それぞれ独立に回転可能である。以下、秒針２９１ａ、分針２９１ｂ、時針２９１ｃを特に区別しないときには、単に指針２９１と記載する。各輪列機構２８３ａ〜２８３ｃを特に区別しないときには、単に輪列機構２８３と記載する。各ステッピングモータ２８２ａ〜２８２ｃを特に区別しないときには、単にステッピングモータ２８２と記載する。
指針２９１は、表示部２９Ａである文字盤上の回転軸に対して、回転自在に設けられている。輪列機構２８３は、それぞれ各ステッピングモータ２８２の駆動力を指針２９１に伝達して、この指針２９１を回転動作させる。
なお、第２の実施形態の電子時計２Ａは、秒針２９１ａの指し示す先により、通信部２２が動作している旨や、標準電波受信部２３が動作している旨を表示している。このように、電子時計２Ａは、専用の表示要素を設けることなく、時分秒表示などを流用して動作状態を示すことができる。
【００５４】
電源供給部２５は、電子時計２Ａを長期間に亘って継続的、かつ安定的に動作させることが可能な構成となっており、例えばボタン電池とＤＣ−ＤＣコンバータとの組み合わせである。
【００５５】
電子時計２Ａは、上記した表示部２９Ａに関連する部位と、電源供給部２５の他は、図２に示した電子時計２と同様に構成されている。
【００５６】
図１１は、電子時計２Ａによる近距離無線通信処理を示すフローチャートである。
最初に電子時計２ＡのＣＰＵ２１１は、専用アプリケーションプログラムが動作している携帯端末３との間でのペアリングを行う（ステップＳ５０）。ＣＰＵ２１１は、ペアリング成功まで（ステップＳ５１→Ｎｏ）、携帯端末３とのペアリングを試みる（ステップＳ５０）。
ＣＰＵ２１１は、携帯端末３との間でペアリングが成功すると（ステップＳ５１→Ｙｅｓ）、携帯端末３に対して時刻情報を要求する（ステップＳ５２）。
【００５７】
ＣＰＵ２１１は、携帯端末３から時刻情報の受信に成功したならば（ステップＳ５３→Ｙｅｓ）、受信した時刻情報で本体時刻を変更し（ステップＳ５４）、受信した時刻を記憶する（ステップＳ５５）。更にＣＰＵ２１１は、携帯端末３との間の接続を切断する（ステップＳ５６）。
ＣＰＵ２１１は、携帯端末３から時刻情報の受信に失敗したならば（ステップＳ５３→Ｎｏ）、携帯端末３との間の接続を切断する（ステップＳ５６）。
【００５８】
次いでＣＰＵ２１１は、予め決められた時刻になるまで待つ（ステップＳ５７→Ｎｏ）。この予め決められた時刻は、標準電波の受信開始時刻とは異なり、例えば午前７時、午前１１時、午後３時、午後７時、午後１１時である。これにより、ＣＰＵ２１１は、通信部２２と標準電波受信部２３のいずれか一方を動作させることができる。
【００５９】
予め決められた時刻になったならば（ステップＳ５７→Ｙｅｓ）、ＣＰＵ２１１は、外部にアドバタイズを送信し（ステップＳ５８）、携帯端末３との接続の確立を試みる。ＣＰＵ２１１は、接続が確立しない場合（ステップＳ５９→Ｎｏ）、ステップＳ５７の処理に戻る。
【００６０】
ＣＰＵ２１１は、携帯端末３との間で接続が確立すると（ステップＳ５９→Ｙｅｓ）、再びステップＳ５２に戻り、時刻情報を要求する。これにより、時刻情報の同期が再開する。
【００６１】
図１２は、電子時計２Ａと携帯端末３による近距離無線通信動作を示すシーケンス図である。
最初、電子時計２Ａは、外部にアドバタイズを送信し（シーケンスＱ３０）、携帯端末３との接続確立を試みる。携帯端末３は、このアドバタイズを受信すると、電子時計２Ａに接続要求を送信する（シーケンスＱ３１）。これにより、電子時計２Ａは、携帯端末３との接続を確立する（シーケンスＱ３２）。
【００６２】
接続の確立後、電子時計２Ａは、時刻情報の要求コマンドを携帯端末３に送信し（シーケンスＱ３３）、携帯端末３は、時刻情報を電子時計２Ａに送信する（シーケンスＱ３４）。
次いで電子時計２Ａは、接続の切断要求コマンドを携帯端末３に送信し（シーケンスＱ３５）、携帯端末３は、接続の切断コマンドを電子時計２Ａに送信する（シーケンスＱ３６）。これら一連の動作により、電子時計２Ａは、通信部２２の動作時間を最小限に抑えて、この通信部２２による電力消費を削減可能である。
【００６３】
図１３は、電子時計２Ａによる標準電波受信処理を示すフローチャートである。
なお、電子時計２ＡのＣＰＵ２１１は、所定時刻になると、標準電波受信処理を開始する。所定時刻とは、例えば午前２時、午前３時、午前６時、午前１０時、午後２時、午後６時、午後１０時である。なお、ＣＰＵ２１１は、所定のボタン操作などにより、標準電波受信処理を開始してもよい。更にＣＰＵ２１１は、通信部２２を受信動作へ移行する制御をする時刻よりも、正子から近い時刻に標準電波受信部２３を受信動作へ移行する制御をしてもよい。これにより、電子時計２Ａは、ユーザが活動していない蓋然性が高い正子から近い時刻に標準電波の受信処理を行わせることができる。
当初、ＣＰＵ２１１は、ＢＬＥを介して携帯端末３と通信中ならば（ステップＳ７０→Ｙｅｓ）、処理を終了する。電子時計２Ａと携帯端末３とが通信中でないならば（ステップＳ７０→Ｎｏ）、ＣＰＵ２１１は、４０ｋＨｚの標準電波の受信処理を開始する（ステップＳ７１）。この受信処理には、所定の時間が掛かる。
【００６４】
ＣＰＵ２１１は、４０ｋＨｚの標準電波の受信に成功したならば（ステップＳ７２→Ｙｅｓ）、受信した時刻情報で本体時刻を変更し（ステップＳ７９）、この標準電波受信処理を終了する。標準電波の受信成功とは、振幅変調された標準電波の時刻信号出力を複数回復調し、これら時刻信号出力が整合することをいう。
ＣＰＵ２１１は、８分間が経過するまでの間（ステップＳ７３→Ｎｏ）、４０ｋＨｚの標準電波の受信処理（ステップＳ７１）を繰り返す。
【００６５】
ＣＰＵ２１１は、４０ｋＨｚの標準電波の受信に成功せず（ステップＳ７２→Ｎｏ）、８分間が経過したならば（ステップＳ７３→Ｙｅｓ）、外部にアドバタイズを送信し（ステップＳ７４）、携帯端末３との接続確立を試みる。ＣＰＵ２１１は、接続が確立したならば（ステップＳ７５→Ｙｅｓ）、図１１のステップＳ５２の処理に進み、携帯端末３との間で時刻を同期する。標準電波の受信よりも、携帯端末３との時刻同期の方が短時間で終了するため、電子時計２Ａは、時刻変更に伴う消費電力を削減可能である。
【００６６】
ＣＰＵ２１１は、未だ接続が確立していない場合に（ステップＳ７５→Ｎｏ）、６０ｋＨｚの標準電波の受信処理（ステップＳ７６）を開始する。この受信処理にも、所定の時間が掛かる。
ＣＰＵ２１１は、６０ｋＨｚの標準電波の受信に成功したならば（ステップＳ７７→Ｙｅｓ）、受信した時刻情報で本体時刻を変更し（ステップＳ７９）、この標準電波受信処理を終了する。標準電波の受信成功とは、振幅変調された標準電波の時刻信号出力を複数回復調し、これら時刻信号出力が整合することをいう。
【００６７】
ＣＰＵ２１１は、８分間が経過するまでの間（ステップＳ７８→Ｎｏ）、６０ｋＨｚの標準電波の受信処理（ステップＳ７６）を繰り返す。
ＣＰＵ２１１は、６０ｋＨｚの標準電波の受信に成功せず（ステップＳ７７→Ｎｏ）、８分間が経過したならば（ステップＳ７９→Ｙｅｓ）、図１３の処理を終了する。
この標準電波受信処理により、電子時計２Ａと携帯端末３とが時刻同期できない場合でも、ＣＰＵ２１１は、標準電波に基づく時刻変更を行うことができる。
【００６８】
（変形例）
本発明は、上記実施形態に限定されることなく、本発明の趣旨を逸脱しない範囲で、変更実施が可能であり、例えば、次の（ａ）〜（ｈ）のようなものがある。
（ａ）  本発明は、アナログ式の置き時計やデジタル式の腕時計、更には掛け時計に適用してもよく、限定されない。
（ｂ）  本発明の近距離無線通信は、Bluetooth Low Energyに限定されず、ZigBee（登録商標）やWifi（登録商標）などであってもよい。
（ｃ）  本発明は、電子時計と携帯端末との間の時刻同期に限定されず、固定端末であるデスクトップコンピュータやホームサーバなどとの間で時刻同期するように構成してもよい。
（ｄ）  本発明の電子時計は、過去の所定期間内に携帯端末３との間の時刻同期を実施していたならば、標準電波の受信処理をキャンセルしてもよい。これにより、標準電波受信部２３の消費電力を削減可能である。
（ｅ）  本発明の電子時計は、秒針によって通信部２２や標準電波受信部２３が動作している旨を表示することに限られず、例えばクロノグラフの小針などによって表示してもよい。
（ｆ）  本発明の電子時計は、標準電波の時刻情報よりも携帯端末３との間の時刻同期を優先しているが、携帯端末３との間の時刻同期よりも標準電波の時刻情報を優先してもよい。
（ｇ）  第１の実施形態の電子時計は、２４時間以内に標準電波の時刻情報を受信したならば、その旨を示す標準電波受信アイコン５７を表示している。しかし、標準電波の時刻情報の受信中に、その旨を示すアイコンなどを表示してもよい。
（ｈ）  第１の実施形態の電子時計は、携帯端末との同期中に、その旨を示すＢＬＥ通信アイコン５６を表示している。しかし、電子時計は、２４時間以内に携帯端末と同期したならば、その旨を示すアイコンなどを表示してもよい。
【００６９】
以下に、この出願の願書に最初に添付した特許請求の範囲に記載した発明を付記する。付記に記載した請求項の項番は、この出願の願書に最初に添付した特許請求の範囲の通りである。
〔付記〕
《請求項１》
現在の時刻をカウントする計時回路と、
端末との間で近距離用無線通信電波を通信することにより第１の時刻情報を受信する近距離無線通信部と、
前記近距離用無線通信電波に比べて電波の回り込む性質が強い標準電波を受信し、第２の時刻情報を受信する標準電波受信部と、
制御部と、を備え、
前記制御部は、
前記第１の時刻情報または前記第２の時刻情報により、前記計時回路がカウントする現在時刻を変更する、
ことを特徴とする電子時計。
《請求項２》
前記制御部は、
前記近距離無線通信部と前記標準電波受信部とを、排他的にいずれか一方を動作させる、
ことを特徴とする請求項１に記載の電子時計。
《請求項３》
前記近距離無線通信部が動作している際には当該近距離無線通信部が動作している旨を表示し、前記標準電波受信部が動作している際には当該標準電波受信部が動作している旨を表示する表示部を備える、
ことを特徴とする請求項２に記載の電子時計。
《請求項４》
前記制御部は、予め定められた受信開始時刻に前記近距離無線通信部が動作していなかったならば、前記標準電波受信部の標準電波の受信動作を開始させる、
ことを特徴とする請求項２に記載の電子時計。
《請求項５》
前記制御部は、前記受信開始時刻とは異なるタイミングにおいて前記近距離無線通信部の前記端末との通信動作を開始させ、前記近距離無線通信部に前記端末からの前記第１の時刻情報を受信させ、前記近距離無線通信部と前記端末との通信を切断させる、
ことを特徴とする請求項４に記載の電子時計。
《請求項６》
前記制御部は、前記近距離無線通信部を受信動作へ移行する制御をする時刻よりも、正子から近い時刻に前記標準電波を受信動作へ移行する制御をする、
ことを特徴とする請求項３に記載の電子時計。
《請求項７》
前記近距離無線通信部は、前記端末との通信が切断されるまで、接続状態を維持する、
ことを特徴とする請求項６に記載の電子時計。
《請求項８》
前記制御部は、
前記近距離無線通信部が前記端末から受信した前記第１の時刻情報のうち最新のものを表示部に表示させる、
ことを特徴とする請求項７に記載の電子時計。
《請求項９》
現在の時刻をカウントする計時回路と、端末との間で近距離用無線通信電波を通信する近距離無線通信部と、前記近距離用無線通信電波に比べて電波の回り込む性質が強い標準電波を受信する標準電波受信部と、を備える電子時計の時刻変更方法であって、
前記近距離無線通信部により前記端末から第１の時刻情報を受信し、
前記標準電波受信部が受信した前記標準電波から第２の時刻情報を取得し、
前記第１の時刻情報または前記第２の時刻情報により、前記計時回路がカウントする現在時刻を変更する、
ことを特徴とする電子時計の時刻変更方法。
《請求項１０》
現在の時刻をカウントする計時回路と、端末との間で近距離用無線通信電波を通信する近距離無線通信部と、前記近距離用無線通信電波に比べて電波の回り込む性質が強い標準電波を受信する標準電波受信部と、を備えるコンピュータを、
前記近距離無線通信部により前記端末から第１の時刻情報を取得する第１時刻取得手段、
前記標準電波受信部が受信した前記標準電波から第２の時刻情報を取得する第２時刻取得部と、
前記第１の時刻情報または前記第２の時刻情報により、前記計時回路がカウントする現在時刻を変更する時刻変更手段、
として機能させるためのプログラム。
【符号の説明】
【００７０】
１，１Ａ  システム
２，２Ａ  電子時計
２１  マイクロコンピュータ
２１１  ＣＰＵ  （制御部の一例）
２１２  分周回路
２１３  計時回路
２１４  発振回路
２１７  受信開始時刻決定部
２１８  時刻情報取得部
２１９  時刻変更部
２２  通信部  （近距離無線通信部の一例）
２３  標準電波受信部
２４  振動子
２５  電源供給部
２６  ＲＯＭ
２６１  プログラム
２７  操作受付部
２８  表示ドライバ
２８１  駆動回路
２８２  ステッピングモータ
２８３  輪列機構
２９，２９Ａ  表示部
２９１  指針
３  携帯端末
４  標準周波数局
Ｎ  キャリア網
【図１】
2018044842.tif 000003
【図２】
2018044842.tif 000004
【図３】
2018044842.tif 000005
【図４】
2018044842.tif 000006
【図５】
2018044842.tif 000007
【図６】
2018044842.tif 000008
【図７】
2018044842.tif 000009
【図８】
2018044842.tif 000010
【図９】
2018044842.tif 000011
【図１０】
2018044842.tif 000012
【図１１】
2018044842.tif 000013
【図１２】
2018044842.tif 000014
【図１３】
2018044842.tif 000015